(57)【要約】本発明は、内壁と外壁、およびその上端のカップ開口とその下端の底部を備える二重カップ（１）に関する。外壁は、実質的に、紙、厚紙などで製作される。本発明の目的は、二重カップ（１）をより迅速かつ簡単に製作して組み立てられるように改善するとともに、対応する断熱特性を維持しながら二重カップの構造不安定性を緩和することである。このために、内壁を備えた内カップを、外壁を備えた外カップ（３）に挿入して、外カップの中に、もしくは外カップに特に着脱可能に固定する。内カップ（２）は少なくとも流体密のプラスチック材料で製作される。
2009507726.tif 000002
【特許請求の範囲】
【請求項１】
内壁と外壁、上側カップ開口、および下側カップ底部を有する二重カップ（１）であって、少なくとも外壁は基本的に紙、厚紙などから形成され、
内壁は内カップ（２）によって形成され、前記内カップ（２）は、前記外壁を備えた外カップ（３）の中に挿入されて特に着脱可能に装着され、少なくとも流体密のプラスチック材料から形成されることを特徴とする、二重カップ（１）。
【請求項２】
外カップ（３）は内側およびまたは外側をプラスチックフィルム（４）で被覆されることを特徴とする、請求項１に記載の二重カップ。
【請求項３】
前記外カップ（３）は、外方向に突出して少なくとも部分的に上側外カップ開口（６）を取り囲む外エッジフランジ（５）を有することを特徴とする、請求項１または２に記載の二重カップ。
【請求項４】
前記外エッジフランジ（５）は突条を有するロールドリム（７）として形成されることを特徴とする、請求項３に記載の二重カップ。
【請求項５】
前記内カップ（２）は少なくとも部分的にその上側内カップ開口（８）を取り囲む内エッジフランジ（９）を有することを特徴とする、請求項１〜４のいずれか一項に記載の二重カップ。
【請求項６】
前記内エッジフランジ（９）は前記外エッジフランジ（５）に少なくとも所々で上方から接触することを特徴とする、請求項１〜５のいずれか一項に記載の二重カップ。
【請求項７】
前記内エッジフランジ（９）は前記外エッジフランジ（５）を少なくとも部分的に包含することを特徴とする、請求項１〜６のいずれか一項に記載の二重カップ。
【請求項８】
前記内エッジフランジ（９）と前記外エッジフランジ（５）は特に互いに着脱可能に接合されることを特徴とする、請求項１〜７のいずれか一項に記載の二重カップ。
【請求項９】
前記内エッジフランジ（９）は基本的に逆Ｕ字形に形成されることを特徴とする、請求項１〜８のいずれか一項に記載の二重カップ。
【請求項１０】
前記内エッジフランジ（９）は基本的に外向き半径方向に突出する平面エッジフランジ（１２）として形成されることを特徴とする、請求項１〜９のいずれか一項に記載の二重カップ。
【請求項１１】
前記平面エッジフランジ（１２）は少なくとも所々で前記外カップ（３）の内側（１３）から突出する肩部（１４）に接触することを特徴とする、請求項１〜１０のいずれか一項に記載の二重カップ。
【請求項１２】
前記平面エッジフランジ（１２）はその自由端（１５）が前記外カップ（３）の内側（１３）の周りを通る溝（１６）に挿入されることを特徴とする、請求項１〜１１のいずれか一項に記載の二重カップ。
【請求項１３】
前記肩部（１４）または溝（１６）は前記平面エッジフランジ（１２）の長さ（１８）よりも小さい奥行き（１７）を有することを特徴とする、請求項１〜１２のいずれか一項に記載の二重カップ。
【請求項１４】
前記平面エッジフランジ（１２）はその自由端（１５）に丸みがつけられていることを特徴とする、請求項１〜１３のいずれか一項に記載の二重カップ。
【請求項１５】
前記外カップ（３）の壁部（１９）は肩部（１４）から前記外エッジフランジ（５）まで基本的に垂直上方に延びていることを特徴とする、請求項１〜１４のいずれか一項に記載の二重カップ。
【請求項１６】
前記内カップ（２）は前記外カップ（３）の下端（２１）に対して間隔を置いてその下端（２０）で終り、これらの端部（２０、２１）の間に収納空間２２が形成されていることを特徴とする、請求項１〜１５のいずれか一項に記載の二重カップ。
【請求項１７】
特に周方向に通る空気室（２５）が内カップ壁（２３）と外カップ壁（２４）の間に形成されることを特徴とする、請求項１〜１６のいずれか一項に記載の二重カップ。
【請求項１８】
前記内カップ壁（２３）と前記外カップ壁（２４）は上方に円錐形に広がっていることを特徴とする、請求項１〜１７のいずれか一項に記載の二重カップ。
【請求項１９】
前記内カップ壁（２３）と前記外カップ壁（２４）の円錐角（２６、２７）は等しいことを特徴とする、請求項１〜１８のいずれか一項に記載の二重カップ。
【請求項２０】
前記内カップ壁（２３）と前記外カップ壁（２４）の円錐角（２６、２７）は異なることを特徴とする、請求項１〜１９のいずれか一項に記載の二重カップ。
【請求項２１】
前記内カップ壁（２３）は内側から前記外カップ壁（２４）に少なくとも所々で接触することを特徴とする、請求項１〜２０のいずれか一項に記載の二重カップ。
【請求項２２】
前記内カップ（２）は気密のプラスチック材料から形成されることを特徴とする、請求項１〜２１のいずれか一項に記載の二重カップ。
【請求項２３】
前記カップの内側を密封する密封フォイルまたは蓋（２８）は内エッジフランジ（９）または外エッジフランジ（５）に着脱自在に装着されることを特徴とする、請求項１〜２２のいずれか一項に記載の二重カップ。
【請求項２４】
前記内カップ（２）と前記外カップ（３）の断面は幾何学的に互いに類似していることを特徴とする、請求項１〜２３のいずれか一項に記載の二重カップ。
【請求項２５】
前記内カップ（２）はその下端（２０）が前記外カップ（３）の底部（２９）の少なくとも所々で接触していることを特徴とする、請求項１〜２４のいずれか一項に記載の二重カップ。
【請求項２６】
前記内カップ（２）はポリプロピレン、ポリスチレン、ポリエステル、ポリエチレン、これらの材料の組合せなどから製作されることを特徴とする、請求項１〜２５のいずれか一項に記載の二重カップ。
【請求項２７】
前記内カップ（２）と前記外カップ（３）の接合部はポリエチレンなどのプラスチックフィルム（４）を用いて形成され、前記プラスチックフィルム（４）は特に前記外カップ（３）の内側（３０）に適用されることを特徴とする、請求項１〜２６のいずれか一項に記載の二重カップ。
【請求項２８】
前記外カップ（３）の下側カップ部（３２）は前記上側カップ部（３３）から取り外すことができることを特徴とする、請求項１〜２７のいずれか一項に記載の二重カップ。
【請求項２９】
開封帯（３４）またはミシン目が前記下側カップ部（３２）と前記上側カップ部（３３）の間に形成されることを特徴とする、請求項１〜２８のいずれか一項に記載の二重カップ。
【請求項３０】
開封タブ（３５）が前記開封帯または前記ミシン目に接合されていることを特徴とする、請求項１〜２９のいずれか一項に記載の二重カップ。
【請求項３１】
前記内カップ（２）と前記外カップ（３）は接着剤およびまたは機械的相互作用によって互いに接合されることを特徴とする、請求項１〜３０のいずれか一項に記載の二重カップ。
【発明の詳細な説明】
【技術分野】
【０００１】
本発明は、上端にカップの開口を有し下端に底部を有する内壁と外壁を備えた二重カップに関する。少なくとも外壁は、基本的に紙、厚紙などから作られる。
【背景技術】
【０００２】
この種の二重カップはＥＰ１２２７０４３で知られている。この設計では、外壁はスリーブによって形成され、スリーブは一般に内壁を形成する内カップに下方から押し付けられる。外壁を形成するスリーブはその上端とその下端において内カップに装着され、スリーブと内カップの間に空隙が形成され、これによって二重カップの断熱が行われる。
この種の二重カップは優れた断熱特性を示すため、温かい飲み物の保管および抽出と、冷たい飲み物などの保管と抽出の両方によく使用され得る。内カップは紙、厚紙などから同様に製作され、少なくとも内カップはその内側にさらに流体密の被膜が施される。
【発明の開示】
【発明が解決しようとする課題】
【０００３】
本発明の目的は、この種の二重カップが適切な断熱特性を維持しながらより迅速かつ簡単に製作して組み立てられ、同時に二重カップの構造がより安定に実現されるようにこれを改善することである。
【課題を解決するための手段】
【０００４】
本目的は請求項１の特徴によって解決される。
本発明によると、この種の二重カップは、具体的には、内壁を備えた内カップが外壁を備えた外カップに挿入されて、特に着脱自在に外カップに装着され、内カップは少なくとも流体密のプラスチック材料で形成されることを特徴とする。
【０００５】
内カップと外カップを使用することによって、底部が開いたスリーブ（下方から内カップに押し当てられる）が省かれるため二重カップの構造は機械的により安定する。内カップに漏れがあっても、これがユーザの衣服を汚す可能性のある二重カップの漏れに至らない。代りに、外カップが内カップでのこの種の漏れに対する集水手段を提供するため、本発明による二重カップはより安定であるだけでなく使用上より安全でもある。
【０００６】
内カップは、外カップの中に様々な方法で配置されて、内カップの中に装着されるか、もしくは内カップに装着され得る。２つのカップを使用することによって、例えば、内壁と外壁の領域、両カップの場合により利用可能なエッジの領域および／またはさらに両カップの低部の領域などにおける着脱自在な装着には多くの方法が利用可能である。さらに、内カップはプラスチック材料で形成され、適切なプラスチック成形法に基づく様々な設計とバリエーションで製作可能であり、その後外カップに簡単に挿入可能であるため、内カップの製作が簡素化される。
【０００７】
内カップの適切なプラスチック材料は少なくとも流体密であるため、注入可能な内容物、すなわち液体の内容物を使用する場合に内カップは十分に密封される。
特に、内カップの漏れ、または内カップに入れられた食品などの外カップの中への移動に対する外カップの保護機能を改善し、これを同様に少なくとも流体密に設計するために、外カップの内側および／または外側を流体密のプラスチックフィルムで被覆することができる。このプラスチックフィルムは、特に外カップの外側を被覆することによって外カップの印刷機能を改善することができ、外カップに紙、厚紙などを使用することによっていつでも比較的良好な印刷機能が確保される。
【０００８】
特に二重カップからの液状食品の取り出しを改善するために、適切な上側外カップ開口を少なくとも部分的に取り囲む外向きに突出したエッジフランジを外カップは有することができる。このようにすると、外カップはその形状が特に外カップ開口の領域において安定するだけでなく、液状食品をカップから簡単に飲めるようになる。好都合な実施形態では、対応するエッジフランジを外側に突条を有するロールドリムとして形成することができる。また、このロールドリムの領域には適切なプラスチックフィルムを適用することができる。
【０００９】
内カップからの取り出しをさらに簡単にしたり、外カップに対して内カップの上部シールを場合により設けたりするために、上側内カップ開口を取り囲む内エッジフランジを内カップに少なくとも部分的に有することができる。これは要求に応じて様々な方法で形成され得る。
【００１０】
好都合な実施形態では、内エッジフランジを上方から外カップの外エッジフランジに少なくとも所々で接触させることができる。これによって、特に液状食品の二重カップからの取り出しは、互いに接しているエッジフランジの両方から可能である。さらに、外カップに対する非常に簡単で適切な内カップの密封がエッジフランジの領域に設けられている。
【００１１】
密封を改善するとともに、例えば、外カップに対する内カップの一定の装着、すなわち少なくとも相対位置への固定をいつでも実現するために、内エッジフランジで外エッジフランジの周囲の少なくとも一部分を把持することができる。周囲の把持は様々な方法で実現され得る。一実施形態では、エッジフランジの相互支持が基本的に内カップを外カップ内に定置する役割のみを果たすように、外エッジフランジを内エッジフランジによって比較的ゆるく周囲に把持する。同様に、一定でさらに場合により適切な外カップ内への内カップの固定をいつでも容易に行えるこの領域での接合を基本的に摩擦係合によって行うように、周囲の把持を比較的緊密にすることもできる。これに関連して固定を改善するために、内エッジフランジと外エッジフランジを特に着脱自在に互いに接合することができる。この種の接合は、適当な接着剤による確立が可能であり、また、エッジフランジの領域で外カップに施用されるプラスチックフィルムの溶融および接合などによる確立も可能である。
【００１２】
当然ながら、エッジフランジの領域では、この種の接合以外に、接着剤、プラスチックフィルムの溶融などによる別の接合も内カップと外カップの内壁と外壁の領域、もしくは両カップの対応する底部の領域において追加的または代替的にも行われ得る。
【００１３】
特に外カップの外側周囲にフランジ状のロールドリムを使用するときは、逆Ｕ字形の内エッジフランジを形成し、挿入された内カップに対応するＵ字脚を用いて上方からロールドリムを周方向に把持するようにすると好都合であることが判明し得る。
その際、両カップの対応する着脱自在の装着をＵ字脚とロールドリムを用いて行うこともできる。これに関しては、摩擦係合の接合で十分な場合もある。
また、内エッジフランジを基本的に外向き半径方向に突出した平面エッジフランジとして形成し得る可能性もあり、平面エッジフランジは、例えば、外エッジフランジまたはロールドリムに基本的に上方から接しているだけである。ここで、この種の平面エッジフランジは外エッジフランジに対して半径方向に突出して自由端で例えばドリップエッジを形成するようにすることが可能である。
【００１４】
本発明の他の実施形態では、内エッジフランジを、特に平面エッジフランジとして形成するときは外カップの内側から少なくとも所々に突出した肩部に設置することができる。このようにして、上側内カップ開口は上側外カップ開口に対して下方にずらして配置されて、内カップが外カップに完全に収容される。内カップと外カップの間の適切な装着および／または密封は、対応する肩部の内カップフランジの支持によって行われ得るが、この領域では外カップに施用される接着剤、プラスチックフィルムの溶融などによって着脱自在の装着も行われ得る。
【００１５】
さらに他の実施形態では、内エッジフランジをこの種の肩部で支持せずに、平面エッジフランジとして特に形成された内エッジフランジの自由端を外カップ内側の周りを通る溝の中に挿入することができる。肩部での支持とさらにこの溝への挿入の両方によって、内カップの対応する相対位置は外カップに関して定められる。溝内の自由端の係合は、特に両カップの確実なロック接合を提供し得るもので、内カップを外カップに挿入すると自由端が溝に係合することによって一定の掛止効果が確立される。またこれに関連して、自由端と溝の領域においてさらに外カップなどでの接着剤、プラスチックフィルムの溶融によって、適切な装着または密封を行うことができる。
【００１６】
肩部または溝を用いた内カップの挿入は、溝の深さが平面エッジフランジの長さよりも小さいという点で簡素化された少なくとも溝を使用したものである。しかしながら、これはやはり深さが平面エッジフランジの長さよりも小さいような肩部の領域に同様に適用され得る。このようにして、適切な肩部や溝の製作は簡素化される。これは、ほとんど費用をかけずに外観に著しい影響を及ぼすことなく外カップに形成され得るからである。
このように、特に溝の形成に関しては、平面エッジフランジの自由端の角を随意に落とした場合にこの領域における平面エッジフランジの自由端の挿入と密封を改善することができる。
【００１７】
外カップは、外カップ開口と肩部の間の適当な上壁部分の上端で上方に円錐形に広げることができる。これによって、内カップと、特に肩部に係合した平面エッジフランジとの構成が簡素化される。ただし、これに関連して、外カップの中への内カップの固定を改善するために、外カップの対応する壁部分を肩部から上方に、基本的には垂直に対応する外エッジフランジまで延ばすことができる。
【００１８】
本発明によるさらに他の実施形態では、内カップの下端または底部を外カップの下端または底部から間隔をもたせ、これらの間に収容空間を形成することもできる。この収容空間はサプライズプレゼントなどの収容に使用することができ、特に内カップを空にして外カップから内カップを取り出した後にアクセス可能となる。だが、内カップの下端または底部は外カップの下端または底部に接している可能性があるため、内カップは対応するエッジフランジとの接触だけでなく外カップの対応する底部との接触によっても支持される。さらにこれに関連して、両カップの装着を底部または下端の領域においても行うことができる。ごく小さい収容空間によって、内カップと外カップの間のこの領域では直接接触が回避されるため断熱が施される可能性もある。
【００１９】
内カップと外カップの間の断熱は、少なくとも内カップ壁と外カップ壁の間に特に周方向に通る空気室が形成されるため改善され得る。さらに、この種のいくつもの空気室は周方向に配置され得る可能性もあり、この空気室は両カップの間に特有の支持リブ、支持突出部などによって切断されている。対応する空気室は、これに関して垂直方向に延びて周方向で互いに分離されるか、および／または周方向に延びて垂直方向で互いに分離され得る。
【００２０】
カップの断面については、円形、長円形、長方形、および厳密な正方形など様々な幾何学的形状が考えられる。二重カップを保持しやすくするために、内カップ壁と外カップ壁を上方に円錐形に広げることができる。内カップ壁と外カップ壁の妥当な円錐角については、種々の関係が考えられる。内カップ壁と外カップ壁の円錐角が等しいときは、内壁と外壁を例えば直接接触させることが可能である。しかし、円錐角が等しい場合でも、例えば、内カップが外カップ内に肩部や溝を使って配置される場合は、内壁と外壁の間に一定の間隔が存在する可能性もある。同様に、内カップ壁と外カップ壁の円錐角は異なる可能性がある。一実施形態では、外カップ壁の円錐角が内カップ壁の円錐角よりも大きいことによって、内カップ壁と外カップ壁の間隔がカップ開口に向かって大きくなっている。また、これと逆の場合も考えられ、すなわち、内カップ壁の円錐角が外カップ壁の円錐角よりも大きいことによって、両方の間隔がカップの底部に向かって大きくなっている。
【００２１】
２つのカップに特有の装着が複数の点で行われ得ることは既に指摘している。この装着が、例えば、カップ壁の領域においても行われるものとすると、内カップ壁が少なくとも所々で外カップ壁内側と接すれば好都合であると考え得る。
【００２２】
内カップの適切なプラスチック材料は、その密封特性だけでなくその有効寿命も改善する。その上、この種のプラスチック材料は簡単な方法で気密に形成され得るもので、いずれにしても液体のみならず気体に対しても適切な密封性を備える。したがって、ヨーグルト、ビスケットなど、影響を受けやすい食品は臭気やその他のガスから適切に保護される。同様に、二重カップに、例えば、チーズやその他のにおいの強い食品が入っている場合、二重カップからの臭気やガスの放出が阻止される。
【００２３】
二重カップの閉鎖は様々な方法で実現され得る。例えば、外カップまたは内カップの対応するエッジフランジに既知の方法で蓋を被せてもよい。また、内カップを閉じるための密封フォイルを内エッジフランジまたは外エッジフランジに着脱自在に装着することもできる。
【００２４】
基本的に、内カップは、互いに接しているエッジフランジの領域から随意に離してある外カップや、内エッジフランジが肩部表面や溝内に配置されている領域の外カップとは異なる幾何学的形状を有する可能性もある。したがって、長円形または長方形の内カップを、例えば、丸い断面を持つ外カップ内に配置することもでき、その逆も同様である。この場合、相対するカップの適切な位置調整またはそれらの装着は、幾何学的に類似したエッジフランジの領域においてのみ、もしくは内エッジフランジを肩部または溝内との接触によってのみ可能である。
【００２５】
しかしながら、２つのカップの構成が簡素化されているため、内カップと外カップの断面が二重カップの高さ全体にわたって本質において幾何学的に互いに類似していると好都合なことがある。
【００２６】
前述の説明を参照すると、内カップがその下端において外カップの底部の少なくとも所々で接していると好都合なこともある。このような場合、内カップの位置は外カップの中で支持され、さらに両カップを着脱自在に装着するこの支持領域でも支持される。支持が所々で行われるだけであれば、支持されていない他の領域は断熱に寄与し得る。
【００２７】
特に、内カップ壁が外カップ壁の内側に接している場合でも、本発明による二重カップの断熱はやはり紙、厚紙などから形成された外カップによって行われるだけであることも指摘される。この場合、外カップは、外カップがその外カップ壁の領域において十分な材料厚を有するか、もしくは両壁の間に空気室を随意に配置した、例えば、二重壁で形成されているものと考えられる。
【００２８】
流体密であり気密でもある内カップのプラスチック材料は、例えば、ポリプロピレン、ポリスチレン、ポリエステル、ポリエチレン、これらの材料の組合せなどである。
【００２９】
内壁と外壁の接合を様々な方法で行うことができ、特に外カップに施用されるプラスチックフィルムを用いた接合をポリエチレンによって行うことができることは既に指摘されている。
【００３０】
サプライズプレゼントを収容する前述の収容空間に関連して、内カップを空にする前に内カップを外カップから外さずにいつでもサプライズプレゼントが取り出すこともできれば好都合であることも分かるかもしれない。これは、例えば、外カップの下側カップ部が上側カップ部から着脱自在であれば実現される可能性がある。
【００３１】
カップ部間のこの種の着脱自在機能は、これらのカップ部間に開封帯またはミシン目を形成することによって備えられ得る。
開封タブが突出しているか、せめてこの種の開封タブが開封帯またはミシン目に接合されていて、例えば、外カップの外面から開くことができれば、開封帯またはミシン目の引剥がしを簡素化することができる。
【発明を実施するための最良の形態】
【００３２】
本発明の好都合な実施形態が図面の各図に示されている。
図１は、内カップ２と外カップ３を備えた二重カップ１の第１の実施形態による縦断面を示す。内カップ２の下端２０は外カップ３の下端２１まで間隔を置いて配置され、外カップ３の下端２１は底部２９によって形成される。端部２０、２１間には、２つのカップ２、３間の断熱用の空気室２５としての役割も果たす収納空間２２が形成されている。サプライズプレゼント４０は収納空間２２内に配置される。収納空間２２へのアクセスは、外カップ３の上側カップ部３３と下側カップ部３２の間に形成された開封帯３４を引き剥がして行われる。開封帯３４には、引き剥がしのために把持することができる開封タブ３５が付いている。
【００３３】
内カップと外カップ２、３は、各々上端に適切な上側内カップ開口または上側外カップ開口８、６を有する。これは、図１では密閉性を保つ密封フォイル２８で閉じられている。密封フォイル２８は、内エッジフランジ９の領域で封がされている。この内エッジフランジ９は内カップ２から外向きに突出し、対応する内カップ開口を取り囲んでいる。内カップ２の内側３１には消費食品を配置することができ、密封フォイル２８、これに対応する蓋を外した後二重カップ１から食品を取り出すことができる。
【００３４】
対応する内エッジフランジ９の下には、外エッジフランジ５が外向きに突条を有するロールドリム７の形で配置されている。この外エッジフランジ５は、外カップ３の上端に配置されて上側外カップ開口６を取り囲んでいる。
【００３５】
したがって、図１において、内カップ２で形成された内壁、すなわち内カップ壁２３（以下の実施形態も参照されたい）と、外壁、すなわち外カップ３で形成された外カップ壁２４（以下の実施形態も参照されたい）とは接触し、これらの間には空気室が形成されず、断熱は外カップ３とその材料の、例えば紙、厚紙などによって実現されている。
【００３６】
内カップと外カップ２、３は、それぞれのカップ開口の方向に円錐形に広がり、対応する円錐角（以下の実施形態も参照されたい）はこの場合等しい。
【００３７】
以下の図２〜４では、図１による詳細「Ａ」に対する様々な実施形態が拡大されて示されている。これらの図では、他のすべての図の場合と同様に、同じ部品はいずれの場合も同じ参照符号によって識別されるか、あるいは、１つの図に関して言及されているだけの場合もある。
【００３８】
図２では、密封フォイル２８は上方から内エッジフランジ９の平坦領域に施用され、ここで密封されている。内エッジフランジ９は、下向きの２つのＵ字脚１０と１１を有する逆Ｕ字形をしている。これらは、ロールドリム７として形成された外エッジフランジ５に上方から重ね合わされている。ここで、外Ｕ字脚１０は、ロールドリム７の外側に対して間隔を置いて自由空間を形成している。内Ｕ字脚１１および両Ｕ字脚の接合部は、いずれの場合もロールドリム７または外カップ壁２４と接触している。
【００３９】
図３の実施形態では、それぞれのＵ字脚１０、１１は、基本的に摩擦係合された接合が外エッジフランジ５と内エッジフランジ９の接触によって形成されるようにロールドリム７と密着している。
【００４０】
これは図４の実施形態にも同様に施用され、ここでは、ほぼ等しい材料強度の２つのＵ字脚を有するのに対し、図３による実施形態では、外Ｕ字脚１０は内Ｕ字脚１１よりも大きい材料厚を有する。図３と図４の両実施形態において、Ｕ字脚１０と１１の接合部はいずれの場合も両Ｕ字脚よりも大きい材料厚で形成されている。
【００４１】
図５には二重カップの第２の実施形態が示されている。これは、内カップ２の下端２０が外カップ３の下端２１まで延びている点で図１による実施形態と基本的に異なる。したがって、内カップ２の下端２０は、内カップ２の一部分が対応する底部２９に接し、空気室２５がその間に形成されるように形成されている。
【００４２】
内カップ２の対応する円錐角２６と外カップ３の対応する円錐角２７は各々大きさが等しく、内カップ壁２３と外カップ壁２４の間には空気室などの自由空間がなく、両カップ壁はこれらの高さ全体にわたって接している。
【００４３】
図６による第３の実施形態では、カップ壁２３、２４はこれら縦方向の範囲の少なくとも大部分にわたって互いに間隔を置いて配置され、基本的に幅の等しい空気室２５が垂線３６に垂直な方向に等しい円錐角２６、２７によって形成されている。
第３の実施形態のその他の特徴は、図１と図５による第１と第２の実施形態の特徴と基本的に同等である。
【００４４】
図２〜図４に対応したそれぞれの詳細「Ａ」はこれまでに説明したすべての実施形態に対して形成されることに留意されたい。
【００４５】
一方で、２つのカップ２、３の装着は対応するエッジフランジ５、９で行われる。例えば、これは摩擦係合された接合がエッジフランジ間に形成されるために（図３と図４参照）実現され得るものである。追加的または代替的に、接着剤をエッジフランジ間だけでなく、内カップ壁２３と外カップ２４の間、または内カップ２の下端２０と外カップ３の下端２１の間に配置することもでき、または両カップ２、３の着脱自在接合部の場合は、外カップ３の内側および場合により外側にも施用するプラスチックフィルム４（図１参照）を簡単に溶かしてから適切な点で内カップ２に接合することができる。プラスチックフィルムによる接合は、当然、対応するエッジフランジ５、９の領域において行うこともできる。
【００４６】
図１、図５、および図６による実施形態の円錐角２６、２７は異なる可能性が同様にある（例えば、図７と図９による第５と第６の実施形態も参照されたい）。この場合、内カップの円錐角２６は外カップの対応する円錐角２７よりも小さいことがあり、その逆のこともある。円錐角が異なることによって、対応する空気室２５は内カップ壁２３と外カップ壁２４の間にも生じる（図７と図９を参照されたい）。
【００４７】
図７による第４の実施形態は、内エッジフランジ９の位置と構成が他の実施形態と異なる。これは平面エッジフランジ１２として形成される（図７の詳細「Ａ」の拡大図である図８も参照されたい）。この平面エッジフランジ１２は、その下側とその自由端１５が外カップ３の内側１３に形成された肩部１４に対接されている。肩部１４の上方では、外カップ壁２４の壁部分１９が高さ３９にわたって延びている。この壁部分１９は、基本的に、外エッジフランジ５としてのロールドリム７まで垂線３６に平行に延びている。肩部１４の対応する奥行き１７は、内カップ開口８の領域の内カップ２から外向き半径方向に間隔を置いた平面エッジフランジ１２の長さ１８よりも小さい。これによって、適切な空気室２５が内カップ壁２３と外カップ壁２４の間に形成され、図７では空気室は円錐角２６、２７の違いによって外カップ３の底部２９の方向で幅が小さくなるように形成されている。
【００４８】
図７による第４の実施形態では、他の実施形態の場合と同様に、内カップ２を図１に従って、すなわち、外カップ３の底部２９に対して間隔を置いて形成することができる。さらに、この実施形態の場合、他の実施形態の場合と同様に、例えば、互いに積み重ねて挿入された二重カップ１相互の取出し手段の役割を果たす適切な肩部を内カップ２の内側に形成し得る可能性があり、この種の肩部はこの種のカップの積み重ね高さが高くなり過ぎてカップを互いに詰め過ぎることを防止する。
【００４９】
図５、図６、図７、および図９による実施形態においても、内カップ２が外カップ３の底部２９に対して十分な間隔を置いて終っているときは収容空間２２に適切なサプライズプレゼント４０を配置し得る可能性がある。
【００５０】
同様に、例えば、図８による実施形態では、肩部１４の奥行き１７を平面エッジフランジ１２の長さ１８に基本的に一致させて、内カップ２の円錐角２６が外カップ３の円錐角２７よりも大きくなるように空気室２５を形成し得る可能性がある。このようにすると、底部２９の方向で幅が増加する空気室２５が形成される。
【００５１】
図７と図９による実施形態では、内カップ２はいずれの場合も外カップ３の内側３０に完全に定置されているが、図１、図５、および図６による実施形態では、内カップ２は少なくともその内エッジフランジ９が外カップ３の内側３０から突出している。
【００５２】
図１０による第５の実施形態では、平面エッジフランジ１２は内カップ２の内エッジフランジ９として外カップ３に対して異なる場所に、異なる方法で固定されている。ここでは、外カップ３はその内側１３でロールドリム７に対して間隔を置いて溝１６を有し、この溝の中に平面エッジフランジ１２の自由端１５が挿入されている。この自由端１５を、ここでは、溝１６に対する装着と適合を改善するために丸みを付けて形成することができる。
【００５３】
第５の実施形態の他の特徴は、図７による第４の実施形態と同じである。これらの実施形態の適切な代案も他に考えられる（例えば、様々な円錐角２６、２７、もしくは外カップ３の底部２９に対して間隔を置いた内カップの端部を参照されたい）。また、円錐角２６、２７の関係を逆にすることもできる。すなわち、内カップの円錐角２６を外カップ３の円錐角２７よりも大きくすることができる。
【００５４】
図９と図１０による実施形態においても、溝１６の対応する深さは平面エッジフランジ１２の長さ１８よりも小さい。しかし、同様に、溝１６の領域において対応するカップ壁２３と２４が接触し、対応する空気室２５が底部２９の方向で幅が増加するように形成して、この深さを基本的に長さ１８に一致させ得る可能性がある。
図７と図９には、二重カップ１の全高３７も示され、ここでは外カップ３の高さによって決定される。図１、図５、および図６では、二重カップ１の全高３７を得るために、２つのＵ字脚１０、１１の接合の概略厚さ（図２〜図４参照）がいずれの場合も外カップ３の全高に加算される。
【００５５】
カップ開口に対応する直径３８は、図７と図９による実施形態に示され、外カップ３の直径３８によって決定され、図１、図５、および図６では、この領域の内カップ２に対応する直径によって決定される。
【００５６】
外エッジフランジと内エッジフランジについては他の方法も考えられることに留意されたい。１つの可能性は、例えば、内エッジフランジ９を外向きの突条を有するロールドリムとして形成し、ロールドリムを最高部で開いたＵ字形外エッジフランジ５に上方から係合させるものである。同様に、図１０の平面エッジフランジ１２の代りにロールドリムを溝１６に相応に係合する内エッジフランジ９として形成し得る可能性がある。
【００５７】
例えば、内カップ２の下端２０を支持する外カップ３の別の肩部など、本発明による様々な実施形態の他のバリエーションと組合せも考えられる。
内カップは、ポリプロピレン、ポリスチレン、ポリエステル、ポリエチレン、またはこれら材料の組合せなどの気密および流体密のプラスチック材料から形成され、適切なプラスチック成形法によって簡単かつ迅速に製作され得る。この種の材料を使用することによって、内カップは十分に丈夫でもあり、適度に長い有効寿命を有する。
外カップに紙、厚紙などを使用することによって、その外側に容易に印刷することができ、外側に例えばポリエチレンのプラスチックフィルムを適切に施用することによって、この印刷機能をさらに改善することができる。
【図面の簡単な説明】
【００５８】
【図１】二重カップの第１の実施形態による縦断面である。
【図２】図１の詳細「Ａ」の拡大図である。
【図３】他の実施形態の図２に類似した図である。
【図４】さらに他の実施形態の図２に類似した図である。
【図５】本発明に従った二重カップの第２の実施形態による縦断面である。
【図６】本発明に従った二重カップの第３の実施形態による縦断面である。
【図７】本発明に従った二重カップの第４の実施形態による縦断面である。
【図８】図７の詳細「Ａ」の拡大図である。
【図９】本発明に従った二重カップの第５の実施形態による縦断面である。
【図１０】図９の詳細「Ａ」の拡大図である。
【図１】
2009507726.tif 000003
【図２】
2009507726.tif 000004
【図３】
2009507726.tif 000005
【図４】
2009507726.tif 000006
【図５】
2009507726.tif 000007
【図６】
2009507726.tif 000008
【図７】
2009507726.tif 000009
【図８】
2009507726.tif 000010
【図９】
2009507726.tif 000011
【図１０】
2009507726.tif 000012
【国際調査報告】
2009507726.tif 000013
2009507726.tif 000014
2009507726.tif 000015
2009507726.tif 000016
2009507726.tif 000017
2009507726.tif 000018